(57)【特許請求の範囲】
【請求項１】
ユーザ機器（１３０）が第５世代新無線システム（１００）における接続を処理することを支援するための第１のネットワークノード（１１１）における方法であって、前記第１のネットワークノード（１１１）および第２のネットワークノード（１１２）が前記第５世代新無線システム（１００）内で動作し、前記第１のネットワークノード（１１１）は、前記ユーザ機器（１３０）のサービングネットワークノードであり、前記方法は、
前記ユーザ機器（１３０）に関連する測定値に基づいて、前記ユーザ機器（１３０）が前記第２のネットワークノード（１１２）のアイドルモードカバレッジ下にあることを判定すること（６１０、８１０）であって、前記アイドルモードカバレッジは、ネットワークノードのシステム情報またはシステムシグネチャ信号カバレッジにより規定されるところのことと、
前記ユーザ機器（１３０）と前記第１のネットワークノード（１１１）との間の接続モード接続が解放されると、
前記第２のネットワークノード（１１２）へと前記ユーザ機器（１３０）のコンテキストを送信すること（６３０、８２０）であって、前記ユーザ機器（１３０）の前記コンテキストは、サービングアンテナセクタ、サービングビーム、アンテナプリコーダ、タイミングアドバンスのうちの任意の少なくともひとつに関する過去の接続モード情報を含むところのことと、を含む方法。
【請求項２】
請求項１に記載の方法であって、 さらに、
前記ユーザ機器（１３０）から前記測定値を取得すること（６００、８００）、を含む方法。
【請求項３】
請求項１に記載の方法であって、さらに、
前記ユーザ機器（１３０）から受信したアップリンク信号を測定することによって前記測定値を取得すること（６００、８００）、を含む方法。
【請求項４】
請求項１乃至３のいずれか一項に記載の方法であって、
前記測定値は、ビームに関連する信号強度測定値に基づいて前記ユーザ機器（１３０）の方向推定値を含む、方法。
【請求項５】
請求項４に記載の方法であって、前記ユーザ機器（１３０）の前記方向推定値は、最強の基準信号に関連するビームの方向に基づくか、または、測定された基準信号に関連するいくつかのビームの方向に基づく、方法。
【請求項６】
請求項１に記載の方法であって、前記測定値は、推定されたアイドルモードカバレッジを含み、前記方法はさらに、
ユーザ機器（１３０）にそのアイドルモードカバレッジを推定するように要求することと、
推定された前記アイドルモードカバレッジを前記ユーザ機器（１３０）から受信することと、を含む方法。
【請求項７】
請求項１乃至６のいずれか一項に記載の方法であって、さらに
ネットワークノードの予測されたアイドルモードカバレッジと、前記ユーザ機器（１３０）に関連する測定値とを含むマッピングに基づいて、前記ユーザ機器（１３０）が前記第２のネットワークノード（１１２）の前記アイドルモードカバレッジの下にあることを判定することを含む、方法。
【請求項８】
請求項１乃至７のいずれか一項に記載の方法であって、さらに
前記第２のネットワークノード（１１２）からハンドオーバ要求を受信することと、
前記ユーザ機器（１３０）との接続を確立することと、を含む方法。
【請求項９】
ユーザ機器（１３０）が接続を処理するのを支援するための第５世代新無線システム（１００）における方法であって、前記第５世代新無線システム（１００）は第１のネットワークノード（１１１）および第２のネットワークノード（１１２）を含み、前記第１のネットワークノード（１１１）は前記ユーザ機器（１３０）のためのサービングネットワークノードであり、前記方法は、
ユーザ機器（１３０）において、前記第１および第２のネットワークノード（１１１、１１２）から送信された基準信号を測定すること（５１０）と、
前記第１のネットワークノード（１１１）において、前記ユーザ機器（１３０）における前記基準信号の測定値に基づいて、前記ユーザ機器（１３０）が、前記第１のネットワークノード（１１１）のアイドルモードカバレッジの外側にあるかどうか、および／または前記第２のネットワークノード（１１２）のアイドルモードカバレッジの下にあるかどうかを判定すること（５２０）であって、前記アイドルモードカバレッジは、ネットワークノードのシステム情報またはシステムシグネチャ信号カバレッジにより規定されるところのことと、
前記ユーザ機器（１３０）と前記第１のネットワークノード（１１１）との間の接続が解放されると、
前記第１のネットワークノード（１１１）から前記第２のネットワークノード（１１２）へと前記ユーザ機器（１３０）のコンテキストを送信すること（５３０）であって、前記ユーザ機器（１３０）の前記コンテキストは、サービングアンテナセクタ、サービングビーム、アンテナプリコーダ、タイミングアドバンスのうちの任意の少なくともひとつに関する過去の接続モード情報を含むところのことと、
前記第２のネットワークノード（１１２）が前記第１のネットワークノード（１１１）から受信した前記ユーザ機器の前記コンテキストに基づいて、前記ユーザ機器（１３０）により、前記ユーザ機器（１３０）と前記第２のネットワークノード（１１２）との間の接続を確立すること（５４０）と、を含む方法。
【請求項１０】
請求項９に記載の方法であって、さらに、
前記第２のネットワークノード（１１２）から前記第１のネットワークノード（１１１）へとハンドオーバ要求を送信すること（５５０）と、
前記ユーザ機器（１３０）と前記第１のネットワークノード（１１１）との間の接続を確立すること（５６０）と、を含む方法。
【請求項１１】
請求項１０に記載の方法であって、前記ハンドオーバ要求は、前記ユーザ機器（１３０）の過去の接続モード情報を含む、方法。
【請求項１２】
ユーザ機器（１３０）が第５世代新無線システム（１００）における接続を処理することを支援するための第１のネットワークノード（１１１）であって、前記第１のネットワークノード（１１１）および第２のネットワークノード（１１２）が前記第５世代新無線システム（１００）内で動作し、前記第１のネットワークノード（１１１）は、前記ユーザ機器（１３０）のサービングネットワークノードであり、 前記第１のネットワークノード（１１１）は、
前記ユーザ機器（１３０）に関連する測定値に基づいて、前記ユーザ機器（１３０）が前記第２のネットワークノード（１１２）のアイドルモードカバレッジ下にあることを判定し、前記アイドルモードカバレッジは、ネットワークノードのシステム情報またはシステムシグネチャ信号カバレッジにより規定され、
前記ユーザ機器（１３０）と前記第１のネットワークノード（１１１）との間の接続モード接続が解放されると、
前記第２のネットワークノード（１１２）へと前記ユーザ機器（１３０）のコンテキストを送信し、前記ユーザ機器（１３０）の前記コンテキストは、サービングアンテナセクタ、サービングビーム、アンテナプリコーダ、タイミングアドバンスのうちの任意の少なくともひとつに関する過去の接続モード情報を含む、よう構成された第１のネットワークノード（１１１）。
【請求項１３】
請求項１２に記載の第１のネットワークノード（１１１）であって、
前記ユーザ機器（１３０）から前記測定値を取得する、ようさらに構成された第１のネットワークノード（１１１）。
【請求項１４】
請求項１２に記載の第１のネットワークノード（１１１）であって、
前記ユーザ機器（１３０）から受信したアップリンク信号を測定することによって前記測定値を取得する、ようさらに構成された第１のネットワークノード（１１１）。
【請求項１５】
請求項１２乃至１４のいずれか一項に記載の第１のネットワークノード（１１１）であって、前記測定値は、
ビームに関連する信号強度測定値に基づいて前記ユーザ機器（１３０）の方向推定値を含む、第１のネットワークノード（１１１）。
【請求項１６】
請求項１５に記載の第１のネットワークノード（１１１）であって、前記ユーザ機器（１３０）の前記方向推定値は、最強の基準信号に関連するビームの方向に基づくか、または、測定された基準信号に関連するいくつかのビームの方向に基づく、第１のネットワークノード（１１１）。
【請求項１７】
請求項１２に記載の第１のネットワークノード（１１１）であって、前記測定値は推定されたアイドルモードカバレッジを含み、前記第１のネットワークノード（１１１）はさらに、 
ユーザ機器（１３０）にそのアイドルモードカバレッジを推定するように要求し、
推定された前記アイドルモードカバレッジを前記ユーザ機器（１３０）から受信する、よう構成された第１のネットワークノード（１１１）。
【請求項１８】
請求項１２乃至１７のいずれか一項に記載の第１のネットワークノード（１１１）であって、
ネットワークノードの予測されたアイドルモードカバレッジと、前記ユーザ機器（１３０）に関連する測定値とを含むマッピングに基づいて、前記ユーザ機器（１３０）が前記第２のネットワークノード（１１２）の前記アイドルモードカバレッジの下にあることを判定する、ようさらに構成された第１のネットワークノード（１１１）。
【請求項１９】
請求項１２乃至１８のいずれか一項に記載の第１のネットワークノード（１１１）であって、さらに、
前記第２のネットワークノード（１１２）からハンドオーバ要求を受信し、
前記ユーザ機器（１３０）との接続を確立する、よう構成された第１のネットワークノード（１１１）。
【発明の詳細な説明】
【技術分野】
【０００１】
本明細書の実施形態は、ワイヤレス通信ネットワークにおける接続を処理するためのネットワーク、ネットワークノード、およびそれにおける方法に関する。特に、本発明は、無線通信ネットワークにおけるモビリティ手順の起動に関する。
【背景技術】
【０００２】
典型的な無線通信ネットワークでは無線通信デバイス、移動局、局（ＳＴＡ）、および／またはユーザ機器（ＵＥ）としても知られるワイヤレスデバイスは無線アクセスネットワーク（ＲＡＮ）を介して１つまたは複数のコアネットワーク（ＣＮ）と通信する。ＲＡＮはビームまたはビームグループとも呼ばれることがあるサービスエリアまたはセルエリアに分割される地理的エリアをカバーし、各サービスエリアまたはセルエリアは無線アクセスノード、たとえばＷｉ−Ｆｉアクセスポイントまたは無線基地局（ＲＢＳ）などの無線ネットワークノードによってサービスされ、無線ネットワークノードはいくつかのネットワークではたとえば「ＮｏｄｅＢ」または「ｅＮｏｄｅＢ」とも呼ばれることがある。サービスエリアまたはセルエリアは、無線ネットワークノードによって無線カバレッジが提供される地理的エリアである。無線ネットワークノードは、無線周波数で動作するエアインタフェースを介して、無線ネットワークノードの範囲内のワイヤレスデバイスと通信する。
【０００３】
ユニバーサルモバイル通信システム（ＵＭＴＳ）は、第２世代（２Ｇ）移動体通信のためのグローバルシステム（ＧＳＭ）から発展した第３世代（３Ｇ）通信ネットワークである。第４世代（４Ｇ）ネットワークとも呼ばれる、発展型パケットシステム（ＥＰＳ）の仕様は第３世代パートナーシッププロジェクト（３ＧＰＰ）内で完了しており、この作業は例えば第５世代（５Ｇ）ネットワークを特定するために、来るべき３ＧＰＰリリースにおいて継続する。
【０００４】
３ＧＰＰ ５Ｇ新無線（Ｎｅｗ Ｒａｄｉｏ：ＮＲ）は、次世代のモバイルネットワークの基盤となる無線規格である。図１は、３ＧＰＰ ５Ｇ ＮＲのために提案されたダウンリンク（ＤＬ）ベースのアクティブモードモビリティソリューションの概略を示す。
【０００５】
図１に示すように、ＵＥは左端のネットワークノード、すなわち、サービングノード１によってサービスされるが、図に破線の矢印で示すように、右端のネットワークノード２に向かう方向に移動している。ＵＥは粗タイミング推定および無線リンク品質監視および故障検出のために、図中の点で塗りつぶされた楕円によって示される最良の「ホームモビリティ基準信号」（ＭＲＳ）を使用する。ＭＲＳの代わりに、アクティブモード同期信号（ＡＭＳＳ）、アクティブモード基準信号、またはチャネル状態情報基準信号（ＣＳＩ−ＲＳ）、ＮＲ同期信号（ＮＲ−ＳＳ）の代替名を使用することができ、以下ではすべて基準信号と呼ぶことにする。
【０００６】
さらに、ＵＥはサービングネットワークノード１からの疎な周期ＭＲＳを監視し、それを、潜在的なターゲットネットワークノード、例えば、ネットワークノード２からの同様の周期的かつ疎なＭＲＳと比較する。ターゲットネットワークノードがより詳細なハンドオーバ手順に関連するようになると、サービングネットワークノード１からの追加の動的に構成されたホームＭＲＳと、ターゲットネットワークノード、例えば、ネットワークノード２からの動的に構成されたアウェイＭＲＳとをアクティブ化することができる。
【０００７】
さらに、サービングネットワークノード１は、決定されたダウンリンクタイミングに関して、ＵＥがアップリンク（ＵＬ）信号の送信をどのくらい先行して開始すべきかを通知するために、ＵＥと共有されるタイミングアドバンス情報を維持することができる。
【０００８】
最終的なハンドオーバ決定は、ネットワークによって行われ、ホームＭＲＳおよびアウェイＭＲＳの測定値を含むＵＥ報告に基づく。
【０００９】
図２には５G NRのための提案されたシステム情報取得の一例が示されている。この例では、ＲＢＳ、ｅＮＢ、ｇＮＢ、送受信点（ＴＲＰ）とも呼ばれ得る各ネットワークノードは同期信号またはシステムシグネチャ信号（ＳＳまたはｘＳＳ）を送信する。各ネットワークノードはＳＳと共に、ＵＥがネットワークにアクセスするのに必要な最小システム情報の一部を含む物理ブロードキャストチャネル（ＰＢＣＨ）も送信する。最小システム情報のこの部分は、図中ではマスタ情報ブロック（ＭＩＢ）として示されている。ＳＳと、ＭＩＢを含むＰＢＣＨとの遷移は、図中の網点で塗りつぶされた楕円で示されている。
【００１０】
ＭＩＢを読み取ることによって、ＵＥは、システム情報ブロック（ＳＩＢ）テーブルを受信する方法に関する情報を受信する。ＳＩＢテーブルは、単一周波数ネットワーク（ＳＦＮ）送信などのブロードキャストフォーマットを使用して送信されてもよく、図中では破線の楕円で示されている。
【００１１】
ＳＳ＋ＭＩＢによって、かつＳＩＢテーブル内で周期的にブロードキャストされる最小システム情報に加えて、ＵＥは例えば、初期アクセスが確立された後の専用送信によって、他のシステム情報を受信することができ、図では、ラベル「追加ＳＩ送信」を有する楕円で示されている。
【００１２】
従来、ＵＥがネットワークへの接続を確立すると、サービングＲＢＳは、コアネットワークおよびＵＥからの情報に基づいてＵＥコンテキストを検索または構築する。接続が解放されると、ＵＥコンテキストは除去される。ＵＥが再接続するとき、ＵＥコンテキストは、再構築される必要がある。５Ｇ ＮＲについて検討された代替案は、短時間内に接続の再構築を容易にするために、解放後のある時間の間、ＵＥコンテキストをＲＢＳ内に保持することである。
【００１３】
５Ｇ ＮＲは例えば、基地局において数百のアンテナ素子、いわゆるマッシブマルチ入力マルチ出力（ＭＩＭＯ）を利用することによって、高利得およびダイナミックビームフォーミングを支援するように設計される。したがって、ＵＥがサービングネットワークノードのアイドルモードカバレッジを超えているにもかかわらず、ＵＥとの接続を維持することが可能である。アイドルモードカバレッジは、サービングネットワークノードのシステム情報またはシステムシグネチャ信号カバレッジによって規定される。図３は、従来技術において特定された問題の例を示す。このケースではＵＥが、そのアイドルモードカバレッジをはるかに超えるｘＳＳ1に関連するネットワークノード１によって、アクティブモードＳＳmに関連する狭い高利得ビームを介してサービスされる。ＵＥ接続が解放されると、ＵＥは代わりに、別のノード、例えば、キャンプオンするｘＳＳ2に関連するネットワークノード２を選択する。ＵＥが再び接続を確立する場合、ＵＥはコンテキストが利用可能でないネットワークノードとの接続を開始し、そのネットワークノードは、高利得ビームを提供することができない可能性がある。
３ＧＰＰ  ＴＳＧ  ＲＡＮ  ＷＧ３ミーティング＃９３、Ｒ３−１６１７０５、"Ｉｎｔｒａ  ＮＲ  Ｍｏｂｉｌｉｔｙ（Ｉｎｔｅｒ  ｇＮＢｓ  Ｍｏｂｉｌｉｔｙ）"、ＮＥＣ、において、２つの提案が開示されている。第１の提案は、既存の長期発展ＩＬＴＥ）Ｘ２ハンドオーバ手順を、無線アクセス技術（ＲＡＴ）内、すなわちｇＮＢ間モビリティ手順のためのさらなる作業のための基礎として採用することである。第２の提案は、０ミリ秒のモビリティ中断時間の要件を満たすためにデュアルコネクティビティ技術を用いることである。
Ｐ．Ｊｏｎａｔｈａｎその他："Ｈａｎｄｏｖｅｒ  ｉｍｐｌｅｍｅｎｔａｔｉｏｎ  ｉｎ  ａ  ５Ｇ  ＳＯＮ−ｂａｓｅｄ  ｍｏｂｉｌｅ  ｎｅｔｗｏｒｋ  ａｒｃｈｉｔｅｃｔｕｒｅ"，１０１６  ＩＥＥＥ  ２７ｔｈ  Ａｎｎｕａｌ  Ｉｎｔｅｒｎａｔｉｏｎａｌ  Ｓｙｍｐｏｓｉｕｍ  Ｏｎ  Ｐｅｒｓｏｎａｌ，Ｉｎｄｏｏｒ，Ａｎｄ  Ｍｏｂｉｌｅ  Ｒａｄｉｏ  Ｃｏｍｍｕｎｉｃａｔｉｏｎ  （ＰＩＭＲＣ），２０１６年９月４日、１−６ページ、において、Ｘ−２ベースのハンドオーバ実装を、ソフトウェアデファイントネットワーク（ＳＤＮ）ベースかつ部分的に仮想化されたＬＴＥアーキテクチャにおいて用いることが提案されている。これは、５ＧネットワークのためのＳＤＮベースのアーキテクチャ上でのモビリティのサポートのインパクトを評価することと、このアーキテクチャにおけるハンドオーバ手順の実行時間を評価することを目的とする。このハンドオーバ手順において、ロスレスＨＯをサポートするために、ソースＮＢが、ハンドオーバコンテキスト情報メッセージを通して転送されたフレームのシーケンス番号を、ターゲットＮＢに提供できることが述べられている。
【発明の概要】
【００１４】
したがって、本明細書の実施形態の目的は、無線通信ネットワークにおけるユーザ機器のための改善された接続確立を提供することである。
【００１５】
第１の態様によれば、この目的は、ユーザ機器が無線通信ネットワークにおける接続を処理するのを支援するために、第１のネットワークノードにおいて実行される方法によって達成される。第１のネットワークノードおよび第２のネットワークノードは無線通信ネットワーク内で動作し、第１のネットワークノードは、ユーザ機器のサービングネットワークノードである。
【００１６】
第１のネットワークノードは、ユーザ機器に関連する測定値に基づいて、ユーザ機器が第２のネットワークノードのアイドルモードカバレッジ下にあることを判定する。ユーザ機器と第１のネットワークノードとの間の接続モードの接続が解放されると、第１のネットワークノードは、ユーザ機器のコンテキストを第２のネットワークノードに送信する。
【００１７】
いくつかの実施形態によれば、第１のネットワークノードは、ユーザ機器から測定値を取得してもよく、またはユーザ機器から受信したアップリンク信号を測定することによって測定値を取得してもよい。
【００１８】
測定値は、ビームに関連する信号強度測定値に基づくユーザ機器の方向推定値を含むことができる。ユーザ機器の方向推定は、最強の基準信号に関連するビームの方向に基づいてもよく、または測定された基準信号に関連するいくつかのビームの方向に基づいてもよい。測定値は、推定されたアイドルモードカバレッジを含むことができる。次いで、第１のネットワークノードはユーザ機器に、そのアイドルモードカバレッジを推定するように要求し、推定されたアイドルモードカバレッジをユーザ機器から受信することができる。
【００１９】
いくつかの実施形態によれば、第１のネットワークノードは、ネットワークノードの予測されたアイドルモードカバレッジと、ユーザ機器１３０に関連する測定値とを含むマッピングに基づいて、ユーザ機器１３０が第２のネットワークノード１１２のアイドルモードカバレッジ下にあることをさらに判定することができる。
【００２０】
ユーザ機器のコンテキストは、サービングアンテナセクタ、サービングビーム、アンテナプリコーダ、タイミングアドバンスのうちの任意の１つまたは複数に関する情報を含むことができる過去の接続モード情報を含むことができる。
【００２１】
いくつかの実施形態によれば、第１のネットワークノードは第２のネットワークノードからハンドオーバ要求をさらに受信し、ユーザ機器との接続を確立することができる。
【００２２】
第２の態様によれば、この目的は、無線通信ネットワーク内のユーザ機器が無線通信ネットワークにおける接続を処理するのを支援するために、第２のネットワークノードにおいて実行される方法によって達成される。第２のネットワークノードおよび第１のネットワークノードは、無線通信ネットワークにおいて動作する。
【００２３】
第２のネットワークノードは第１のネットワークノードからユーザ機器のコンテキストを取得し、取得したコンテキストに基づいてユーザ機器との接続を確立する。
【００２４】
ユーザ機器のコンテキストは、過去の接続モード情報を含むことができる。
【００２５】
第２のネットワークノードは、第１のネットワークノードにハンドオーバ要求をさらに送信することができる。ハンドオーバ要求は、ユーザ機器の過去の接続モード情報を含むことができる。
【００２６】
第３の態様によれば、この目的は、ユーザ機器が接続を処理するのを支援するために、無線通信ネットワークにおいて実行される方法によって達成される。ワイヤレス通信ネットワークは第１のネットワークノードおよび第２のネットワークノードを備え、第１のネットワークノードはユーザ機器のためのサービングネットワークノードである。
【００２７】
ユーザ機器は、第１および第２のネットワークノードから送信された基準信号を測定する。第１のネットワークノードは、ユーザ機器が第１のネットワークノードのアイドルモードカバレッジの外側にあるかどうか、および／または第２のネットワークノードのアイドルモードカバレッジの下にあるかどうかを判定する。
【００２８】
ユーザ機器と第１のネットワークノードとの間の接続が解放されると、第１のネットワークノードは、ユーザ機器のコンテキストを第２のネットワークノードに送信する。次いで、第２のネットワークノードは、ユーザ機器への接続を確立する。
【００２９】
いくつかの実施形態によれば、第２のネットワークノードはハンドオーバ要求を第１のネットワークノードに送信することができ、第１のネットワークノードは、ユーザ機器１３０への接続を確立することができる。
【００３０】
ハンドオーバ要求は、ユーザ機器の過去の接続モード情報を含むことができる。
【００３１】
第４の態様によれば、この目的は、ユーザ機器が無線通信ネットワークにおける接続を処理するのを支援するために、第１のネットワークノードによって達成される。第１のネットワークノードおよび第２のネットワークノードは無線通信ネットワーク内で動作し、第１のネットワークノードは、ユーザ機器のサービングネットワークノードである。
【００３２】
第１のネットワークノードは、ユーザ機器に関連する測定値に基づいて、ユーザ機器が第２のネットワークノードのアイドルモードカバレッジ下にあることを判定するように構成される。ユーザ機器と第１のネットワークノードとの間の接続モードの接続が解放されると、第１のネットワークノードは、ユーザ機器のコンテキストを第２のネットワークノードに送信するに構成される。
【００３３】
いくつかの実施形態によれば、第１のネットワークノードは、ユーザ機器から測定値を取得するか、またはユーザ機器から受信したアップリンク信号を測定することによって測定値を取得するよう構成されてもよい。
【００３４】
測定値は、ビームに関連する信号強度測定値に基づくユーザ機器の方向推定値を含むことができる。ユーザ機器の方向推定は、最強の基準信号に関連するビームの方向に基づいてもよく、または測定された基準信号に関連するいくつかのビームの方向に基づいてもよい。例えば、２つのビームが等しく強いとして測定される場合、ＵＥへの方向は、２つのビームの方向の間にある。
【００３５】
測定値は、推定されたアイドルモードカバレッジを含むことができる。次いで、第１のネットワークノードはユーザ機器に、そのアイドルモードカバレッジを推定するように要求し、推定されたアイドルモードカバレッジをユーザ機器から受信することができる。
【００３６】
いくつかの実施形態によれば、第１のネットワークノードは、ネットワークノードの予測されたアイドルモードカバレッジと、ユーザ機器に関連する測定値とを含むマッピングに基づいて、ユーザ機器が第２のネットワークノードのアイドルモードカバレッジ下にあることをさらに判定するように構成されてよい。
【００３７】
ユーザ機器のコンテキストは、サービングアンテナセクタ、サービングビーム、アンテナプリコーダ、タイミングアドバンスのうちの任意の１つまたは複数に関する情報を含むことができる過去の接続モード情報を含むことができる。
【００３８】
いくつかの実施形態によれば、第１のネットワークノードは第２のネットワークノードからハンドオーバ要求をさらに受信し、ユーザ機器との接続を確立するよう構成されてよい。
【００３９】
第５の態様によれば、この目的は、無線通信ネットワーク内のユーザ機器が無線通信ネットワークにおいて処理を行うのを支援するために、第２のネットワークノードによって達成される。第２のネットワークノードおよび第１のネットワークノードは、無線通信ネットワークにおいて動作する。
【００４０】
第２のネットワークノードは第１のネットワークノードからユーザ機器のコンテキストを取得し、取得したコンテキストに基づいてユーザ機器との接続を確立するように構成される。
【００４１】
ユーザ機器のコンテキストは、過去の接続モード情報を含むことができる。
【００４２】
第２のネットワークノードは、第１のネットワークノードにハンドオーバ要求をさらに送信するよう構成されてよい。ハンドオーバ要求は、ユーザ機器の過去の接続モード情報を含むことができる。
【００４３】
本明細書の実施形態は、ＵＥが休止状態、すなわち非アクティブ状態をサポートする状況に関し、そこから、ネットワークノード内のＵＥコンテキストによってサポートされる接続を確立することができる。本明細書の実施形態の中心的な本質は、将来の接続確立を容易にするために、前にサービスが提供された無線基地局またはサービングネットワークノードからのＵＥコンテキストを有する無線基地局またはネットワークノードの準備に関する。さらに、準備メッセージは、前にサービングしていたネットワークノードへのハンドオーバの決定を支援するために、過去の接続モード情報も含むことができる。したがって、本明細書の実施形態は、以下を含む多くの利点を有する:
ユーザ機器のコンテキストを準備し、ターゲットネットワークノードに送信することによって、ターゲットネットワークノードへの接続を確立することを、正確に、高速に、かつ高信頼度で実行することができる。
【００４４】
本明細書の実施形態はＭＲＳなどの特定の基準信号を送信するネットワークノードの正確で、高速で、高信頼度で、かつ場合によってはオンデマンドの識別を可能にする。
【００４５】
これは、５Ｇ ＮＲで導入されるマッシブＭＩＭＯのような高利得動的ビームフォーミングと協働する。
【００４６】
本発明は、ＵＥが遠く離れた基地局から基準信号を聞くことができるが、そのノードから送信された関連するシステム情報を受信することができない５Ｇ ＮＲネットワークにおいて、自動近隣関係（ＡＮＲ）のための最新技術の解決策が機能することを妨げる従来技術に関連する問題を解決する。
【００４７】
したがって、本明細書の実施形態は、無線通信ネットワークにおける接続確立をユーザ機器が処理するのを支援するための改善された方法および装置を提供する。
【図面の簡単な説明】
【００４８】
本明細書の実施形態の例は、添付の図面を参照してより詳細に説明される。
【図１】ダウンリンクベースのアクティブモードモビリティの概観を示す概略ブロック図である。
【図２】システム情報取得の一例を示す概略ブロック図である。
【図３】従来技術の問題点の一例を示す概略ブロック図である。
【図４】通信ネットワークの実施形態を示す概略ブロック図である。
【図５ａ】通信ネットワークにおける方法の実施形態を示すシグナリング図である。
【図５ｂ】通信ネットワークにおける方法の実施形態を示すフローチャートである。
【図６】第１のネットワークノードの観点からの方法の実施形態を示すフローチャートである。
【図７】第２のネットワークノードの観点からの方法の実施形態を示すフローチャートである。
【図８】第１のネットワークノードにおいて実行される方法の実施形態を示すフローチャートである。
【図９】第２のネットワークノードにおいて実行される方法の実施形態を示すフローチャートである。
【図１０】第１または第２のネットワークノードの例示的な実施形態を示す概略ブロック図である。
【発明を実施するための形態】
【００４９】
本明細書の実施形態は一般に、通信ネットワークに関する。図４は、本明細書の実施形態を実施することができる通信ネットワーク１００を示す概略概観図である。通信ネットワーク１００は、１つ以上のＲＡＮおよび１つ以上のＣＮを備える無線通信ネットワークであってもよい。通信ネットワーク１００は、いくつかの可能な実装を挙げると、Ｗｉ−Ｆｉ、ロングタームエボリューション（ＬＴＥ)、ＬＴＥアドバンスト、５Ｇ、広帯域符号分割多元接続（ＷＣＤＭＡ)、移動通信のためのグローバルシステム／GSM発展のための強化データレート(ＧＳＭ／ＥＤＧＥ）、マイクロ波アクセスのためのワールドワイドインターオペラビリティ（ＷｉＭａｘ）またはウルトラモバイルブロードバンド（ＵＭＢ）などの多くの異なる技術を用いることができる。本明細書の実施形態は、５Ｇの状況において特に興味深い最近の技術動向に関するが、実施形態は例えばＷＣＤＭＡおよびＬＴＥなどの既存の無線通信システムのさらなる開発にも適用可能である。
【００５０】
無線通信ネットワーク１００では、ワイヤレスデバイス、例えば、移動局、非アクセスポイント（非ＡＰ)ＳＴＡ、ＳＴＡ、無線端末などのＵＥ １３０とも呼ばれるユーザ機器１３０は、１つまたは複数のアクセスネットワーク（ＡＮ）、例えば、ＲＡＮを介して、１つまたは複数のコアネットワーク（ＣＮ）と通信する。当業者によれば当然のことながら、「ワイヤレスデバイス」は任意の端末、無線通信端末、ユーザ機器、マシンタイプコミュニケーション（ＭＴＣ）デバイス、デバイスツーデバイス（Ｄ２Ｄ）端末、またはノード、例えば、スマートフォン、ラップトップ、モバイルフォン、センサ、中継器、モバイルタブレット、またはセル内で通信する小さな基地局を意味する非限定的な用語である。ユーザ機器１３０、ＵＥ、ＵＥ １３０、およびワイヤレスデバイス１３０という用語は、本明細書では交換可能に使用される。
【００５１】
無線基地局（ＲＢＳ）１１１とも呼ばれる第１のネットワークノード１１１およびＲＢＳ１１２とも呼ばれる第２のネットワークノード１１２などのネットワークノードは、無線通信ネットワーク１００内で動作する。第１のネットワークノード１１１は、地理的エリア、サービスエリア１１（ＳＳブロードキャストエリア、またはシステムエリアとも呼ばれ得る）、またはビームまたはビームグループにわたって無線カバレッジを提供し、そこではビームのグループが５Ｇ、ＬＴＥ、Ｗｉ−Ｆｉなどの無線アクセス技術（ＲＡＴ）のサービスエリアをカバーする。第２のネットワークノード１１２は、地理的エリア、サービスエリア１２（ＳＳブロードキャストエリア、またはシステムエリアとも呼ばれ得る）、またはビームまたはビームグループにわたって無線カバレッジを提供し、そこではビームのグループが５Ｇ、ＬＴＥ、Ｗｉ−ＦｉなどのＲＡＴのサービスエリアをカバーする。図４に示すように、ＵＥ １３０は第１のネットワークノード１１１からのデータビーム１１４、すなわちアクティブモードビームによってサービスされるが、第２のネットワークノード１１２からのシステム情報カバレッジ、すなわちサービスエリア１２によってサービスされる。
【００５２】
第１および第２のネットワークノード１１１および１１２は、送受信ポイント、例えば、無線ローカルエリアネットワーク（ＷＬＡＮ）アクセスポイントまたはアクセスポイントステーション(AP STA)などの無線アクセスネットワークノード、アクセスコントローラ、基地局、例えば、ノードＢ、ｇＮＢ、進化型ノードＢ(ｅＮＢ、eNodeB)、進化型ノードＢ(ｅＮＢ、eNodeB B)、基地トランシーバステーション、無線遠隔ユニット、アクセスポイント基地局、基地局ルータ、無線基地局の送信構成、スタンドアロンアクセスポイント、または、例えば、使用される第１の無線アクセス技術および用語に応じて、第１および第２のネットワークノード１１１および１１２それぞれによってサービスされるサービスエリア内のワイヤレスデバイスと通信することができる任意の他のネットワークユニットであってよい。第１および第２のネットワークノード１１１および１１２は、サービング無線ネットワークノードと呼ばれることがあり、ユーザ機器１３０へのダウンリンク（ＤＬ）送信および無線装置１３０からのアップリンク（ＵＬ）送信を用いてワイヤレスデバイス１３０と通信する。
【００５３】
本明細書の実施形態の開発の一部として、先行技術に関連する問題を最初に特定し、簡単に説明する。図３に関して上述したように、ＵＥは、同じネットワークノードからの、ｘＳＳ1に関連するビームよりも良好なカバレッジを有する「アクティブモードＳＳm」によってラベル付けされた狭ビームによってサービスされる。このＵＥは接続状態からアイドル状態に解放されると、例えば、ｘＳＳ2に関連する別のビームを選択する。ここでは「アクティブモードＳＳm」を用いているが、ここではＮＲに同期していないアクティブモードのＲＳを適用してもよい。
【００５４】
ＵＥがネットワーク接続を確立することを望む場合、選択されたネットワークノード、例えば、第２のネットワークノードは、ＵＥコンテキストをフェッチする必要がある。さらに、以前のネットワークノードおよび狭ビームから再びサービスを再開することも利益があり、したがって、ハンドオーバを開始する必要があり得る。
【００５５】
本明細書の実施形態は、第１のネットワークノード１１１によって接続モードでサービス提供されるＵＥ １３０に関する情報を使用して、ＵＥ １３０が第１のネットワークノード１１１のアイドルモードカバレッジ外にあることを明らかにすることによって、上記の問題を解決する。さらに、最良のアイドルモードカバレッジを提供する第２のネットワークノード１１２などの第２のネットワークノードを決定する。第１のネットワークノード１１１とＵＥ １３０との間の接続が解放された場合、サービスを提供する第１のネットワークノード１１１はＵＥコンテキストを有する第２のネットワークノード１１２を準備し、オプションとして、最近の接続に関する情報も準備する。これは、ＵＥ １３０が第２のネットワークノード１１２との接続を再び確立するときに、第２のネットワークノード１１２が準備されることを可能にする。さらに、本明細書の実施形態は、第２のネットワークノード１１２が、第１のネットワークノード１１１へのハンドオーバが有益であるかどうかを直接調査し、ハンドオーバを開始するように動機付けられているかどうかを判定するのにも役立つ。
【００５６】
以下、実施例について説明する。
【００５７】
図５ａは、本明細書の実施形態による無線通信ネットワーク１００における例示的な方法の信号フローチャートを示す。パート１の信号フローは、サービングＲＢＳ１１１すなわち第１のネットワークノード１１１、および非サービングＲＢＳ１１２すなわち第２のネットワークノード１１２の両方からの信号に関するＵＥ１３０の測定値を含む。そのような測定値は、サービングネットワークノードＲＢＳ１１１に報告され得る。パート１の信号フローはまた、ＵＥ１３０から送信されたＵＬ信号に関するサービングネットワークノードＲＢＳ１１１の測定、ならびに、本質的に往復時間推定値であるＵＥ１３０のための適切なタイミングアドバンスを決定する、時間位置合わせなどの手順を含み得る。
一実施形態では、ビームに関連する信号強度測定値が方向推定値をＵＥ１３０に提供する。方向推定は最強の基準信号、例えばＭＲＳに関連するビームの方向に基づいてもよいし、測定され報告されたＭＲＳに関連するいくつかのビームの方向に基づいてもよい。後者の場合、例えば、２つのビームが等しく強いとして測定される場合、ＵＥへの方向は、２つのビームの方向の間にある。
【００５８】
別の実施形態では、異なる利用可能な測定値、ならびにアイドルモードカバレッジ特性に関する知識を使用して、そのような測定値からアイドルモードカバレッジ状況へのマッピングを作成またはトレーニングすることができる。アイドルモードカバレッジ特性は、同期信号、システムシグネチャなどの信号を測定および報告するように接続モードＵＥに要求することによって取得または定義され得る。そのようなトレーニングは、管理されたクラスタリングとして編成されてもよく、そこでは収集された測定値のベクトルがアイドルモードカバレッジを提供するどれかのネットワークノードによってラベル付けされる。次いで、機械学習技法を使用して、マッピングをトレーニングして、測定されたベクトルからネットワークノードの予測されたアイドルモードカバレッジへの関数を作成することができる。
【００５９】
信号フローのパート２では、サービングネットワークノードＲＢＳ１１１が得られた測定値を使用して、ＵＥ１３０がサービングネットワークノードＲＢＳ１１１のアイドルモードカバレッジ外にあると考えられるかどうかを判定し、それに代えてＵＥ１３０が第２のネットワークノードＲＢＳ１１２のアイドルモードカバレッジ下にあることを判定する。この判定は、ＵＥ１３０が第１のネットワークノードＲＢＳ１１１または第２のネットワークノードＲＢＳ１１２のアイドルモードカバレッジ内にあるかどうかの測定値および観測値を使用して、学習アルゴリズムに基づくことができる。代替案は、ＵＥ１３０に、そのアイドルモードカバレッジを推定し、サービングネットワークノードＲＢＳ１１１に報告するように要求することである。一実施形態では、ＵＥ１３０が最も好ましいｘＳＳを検出することによって、そのアイドルモードカバレッジを推定し、要求に応じて、これをネットワークノードに報告することができる。
【００６０】
ＵＥ１３０と第１のネットワークノードＲＢＳ１１１との間の接続が解放されると、第１のネットワークノードＲＢＳ１１１は、ＵＥ１３０が第２のネットワークノードＲＢＳ１１２との接続を再び確立する場合に備えるために、ＵＥ１３０コンテキストを第２のネットワークノードＲＢＳ１１２に転送する。オプションで、第１のネットワークノードＲＢＳ１１１は、サービングビーム情報、またはサービングアンテナセクタ、アンテナプリコーダ、タイミングアドバンスなどに関する他の情報を含む過去の接続モード情報を含むことができる。
【００６１】
信号フローのパート３では、ＵＥ１３０が第２のネットワークノードＲＢＳ１１２への接続を確立すると、第２のネットワークノードＲＢＳ１１２は接続確立を容易にするためにＵＥ１３０コンテキストを用いて準備される。
【００６２】
信号フローのオプションのパート４では、第２のネットワークノードＲＢＳ１１２がハンドオーバ要求を第１のネットワークノードＲＢＳ１１１に送信することができる。ハンドオーバ要求は第１のネットワークノードＲＢＳ１１１を介して接続を再開するために、ＵＥ１３０の過去の接続モード情報を含むことができる。
【００６３】
図５ａに示される信号フローチャートによれば、ユーザ機器１３０が接続を処理するのを支援するために無線通信ネットワーク１００において実行される方法が、図５ｂを参照して以下に説明される。無線通信ネットワーク１００は、第１のネットワークノード１１１および第２のネットワークノード１１２を備える。第１のネットワークノード１１１は、ユーザ機器１３０のためのサービングネットワークノードである。
【００６４】
この方法は以下のアクションを含み、これらのアクションは、任意の適切な順序で実行することができる:
アクション５１０
ユーザ機器１３０がどのネットワークノードのアイドルモードカバレッジにあるかを知るために、ユーザ機器１３０は第１および第２のネットワークノード１１１、１１２から送信された基準信号、例えば、ＭＲＳ、ＡＭＳＳ、またはＣＳＩ−ＲＳ、ＮＲ−ＳＳなどを測定する。
【００６５】
アクション５２０
測定値に基づいて、第１のネットワークノード１１１は、ユーザ機器１３０が第１のネットワークノード１１１のアイドルモードカバレッジの外側にあるかどうか、および／または第２のネットワークノード１１２のアイドルモードカバレッジの下にあるかどうかを判定する。
【００６６】
ユーザ機器１３０が、第１のネットワークノード１１１のアイドルモードカバレッジの外側にあり、かつ／または第２のネットワークノード１１２のアイドルモードカバレッジの下にあると判定された場合、以下のアクション５３０および５４０を実行することができる:
アクション５３０
ユーザ機器１３０と第１のネットワークノード１１１との間の接続が解放されると、第１のネットワークノード１１１は、ＵＥ１３０がネットワークノード１１２との接続を確立する場合に備えて、ユーザ機器１３０のコンテキストを第２のネットワークノード１１２に送信する。オプションで、第１のネットワークノード１１１は、サービングビーム情報、またはサービングアンテナセクタ、アンテナプリコーダ、タイミングアドバンスなどに関する他の情報を含む過去の接続モード情報を含むことができる。
【００６７】
アクション５４０
ユーザ機器１３０は、第２のネットワークノード１１２への接続を確立する。
【００６８】
いくつかの実施形態によれば、方法は、以下の任意選択のアクション５５０および５６０をさらに含むことができる:
アクション５５０
以前のネットワークノード１１１から再びサービスを再開することも利益があり、したがって、ハンドオーバを開始する必要があり得る。第２のネットワークノード１１２は、第１のネットワークノード１１１にハンドオーバ要求を送信する。ハンドオーバ要求は、ユーザ機器１３０の過去の接続モード情報を含むことができる。
【００６９】
アクション５６０
ハンドオーバ要求を受信すると、第１のネットワークノード１１１は、ユーザ機器１３０への接続を確立する。
【００７０】
図６は、第１のネットワークノード１１１の観点など、第１の無線基地局からの、本明細書の実施形態による方法の動作を示す。
【００７１】
アクション６００
このアクションはオプションである。無線基地局、すなわち、第１のネットワークノード１１１は、サービスを受けるＵＥ１３０に関連する測定値を取得することができる。
【００７２】
アクション６１０
第１のネットワークノードＲＢＳ１１１は例えば、取得された測定値に基づいて、ＵＥ１３０が第１のネットワークノードＲＢＳ１１１のアイドルモードカバレッジ内にないが、代わりに第２のネットワークノードＲＢＳ１１２のアイドルモードカバレッジ内にあることを判定する。
【００７３】
アクション６２０
ＵＥ１３０と第１のネットワークノードＲＢＳ１１１との間の接続が解放される。
【００７４】
アクション６３０
ＵＥ１３０と第１のネットワークノードＲＢＳ１１１との間の接続が解放されると、第１のネットワークノードＲＢＳ１１１は、ＵＥ１３０のコンテキストを第２のネットワークノードＲＢＳ１１２に転送または送信する。
【００７５】
任意選択で、第１のネットワークノードＲＢＳ１１１は履歴接続情報、すなわち、ＵＥコンテキストにおけるＵＥ１３０の過去の接続モード情報を含むことができる。接続モード情報は、サービングアンテナセクタまたはビーム、アンテナプリコーダ、タイミングアドバンスなどを含むことができる。
【００７６】
第１のネットワークノードＲＢＳ１１１に接続されていたＵＥ１３０が解放され、第１のネットワークノードＲＢＳ１１１から第２のネットワークノードＲＢＳ１１２に転送されたＵＥコンテキストによってサポートされる第２のネットワークノードＲＢＳ１１２との接続が再確立されると、第２のネットワークノードＲＢＳ１１２よりも第１のネットワークノードＲＢＳ１１１からＵＥ１３０にサービス提供する方が好ましい場合がある。次に、上記のアクション６１０〜６３０に加えて、いくつかの追加またはオプションのアクション６４０および６５０を考慮することができる。
【００７７】
アクション６４０
第１のネットワークノードＲＢＳ１１１は、第２のネットワークノードＲＢＳ１１２からハンドオーバ要求を取得する。ハンドオーバ要求は、オプションでＵＥ１３０の過去の接続モード情報を含むことができる。あるいは、第１のネットワークノードＲＢＳ１１１が第１のネットワークノードＲＢＳ１１１との以前のセッションからの過去の接続モード情報を記憶している。
【００７８】
アクション６５０
取得または格納された過去の接続モード情報に基づいて、第１のネットワークノードＲＢＳ１１１は、ＵＥ１３０との接続を確立する。例えば、第１のネットワークノードＲＢＳ１１１は、提供されるビーム、初期タイミング等の選択を履歴情報に基づいてもよい。
【００７９】
図７は、第２のネットワークノード１１２の観点など、第２の無線基地局からの、本明細書の実施形態による方法の動作を示す。
【００８０】
アクション７００
第２のネットワークノードＲＢＳ１１２は、第１のネットワークノードＲＢＳ１１１からＵＥコンテキストを取得する。
【００８１】
オプションで、最良サービングビーム、タイミングアドバンス、信号強度測定値などの過去の接続モード情報をＵＥコンテキストに含めることができる。
【００８２】
アクション７１０
第２のネットワークノードＲＢＳ１１２は、ＵＥ１３０との接続を確立する。ＵＥが第２のネットワークノードＲＢＳ１１２との接続を確立すると、その確立は、ＵＥ、サブスクリプション、セキュリティ情報などに関する情報を含む第２のネットワークノードＲＢＳ１１２内の準備されたＵＥコンテキストによってレバレッジされる。
【００８３】
アクション７２０
このアクションはオプションである。第２のネットワークノードＲＢＳ１１２は、過去の接続モード情報を考慮して、ハンドオーバ要求を第１のネットワークノードＲＢＳ１１１に直接送信することもできる。例えば、過去の接続モード情報は、第２のネットワークノードＲＢＳ１１２よりも第１のネットワークノードＲＢＳ１１１からＵＥ１３０にサービス提供することがより好ましいことを示すことができる。それはまた、過去の接続モード情報を使用することによって、第１のネットワークノードＲＢＳ１１１がＵＥ１３０への接続を迅速に再開することを可能にすることができる。
【００８４】
図８はユーザ機器１３０が無線通信ネットワーク１００における接続を処理するのを支援するために第１のネットワークノード１１１において実行される方法の実施形態を示すフローチャートであり、第１のネットワークノード１１１および第２のネットワークノード１１２は無線通信ネットワーク１００において動作し、第１のネットワークノード１１１は、ユーザ機器１３０のためのサービングネットワークノードである。
【００８５】
この方法は以下のアクションを含み、これらのアクションは、任意の適切な順序で実行することができる。
【００８６】
アクション８００
このアクションはオプションである。第１のネットワークノード１１１は、ユーザ機器１３０に関連した測定値を取得することができる。
【００８７】
いくつかの実施形態によれば、第１のネットワークノード１１１は、ユーザ機器１３０から測定値を取得することができる。
【００８８】
いくつかの実施形態によれば、第１のネットワークノード１１１は、ユーザ機器１３０から受信したアップリンク信号を測定することによって測定値を取得してもよい。
【００８９】
測定値は、ビームに関連する信号強度測定値に基づくユーザ機器１３０の方向推定値を含んでよい。
【００９０】
ユーザ機器１３０の方向推定は、最強の基準信号たとえばＭＲＳに関連するビームの方向に基づいてもよく、または測定された基準信号に関連するいくつかのビームの方向に基づいてもよい。
【００９１】
いくつかの実施形態によれば、測定値は、推定されたアイドルモードカバレッジを含むことができる。したがって、第１のネットワークノード１１１は、ユーザ機器１３０に、そのアイドルモードカバレッジを推定するように要求することができる。次いで、第１のネットワークノード１１１は、推定されたアイドルモードカバレッジをユーザ機器１３０から受信する。
【００９２】
アクション８１０
第１のネットワークノード１１１は、ユーザ機器１３０に関連する測定値に基づいて、ユーザ機器１３０が第２のネットワークノード１１２のアイドルモードカバレッジ下にあることを判定する。
【００９３】
図５を参照して例示的な実施形態で上述したように、異なる利用可能な測定値、ならびにアイドルモードカバレッジ特性に関する知識を使用して、そのような測定値からアイドルモードカバレッジ状況へのマッピングを作成またはトレーニングすることができる。アイドルモードカバレッジ特性は、同期信号、システムシグネチャなどの信号を測定し、および報告するように接続モードＵＥに要求することによって取得または定義され得る。そのようなトレーニングは、管理されたクラスタリングとして編成されてもよく、そこでは収集された測定値のベクトルがアイドルモードカバレッジを提供するどれかのネットワークノードによってラベル付けされる。次いで、機械学習技法を使用して、マッピングをトレーニングして、測定されたベクトルからネットワークノードの予測されたアイドルモードカバレッジへの関数を作成することができる。
【００９４】
したがっていくつかの実施形態によれば、第１のネットワークノード１１１は、ネットワークノードの予測されたアイドルモードカバレッジと、ユーザ機器１３０に関連する測定値とを含むマッピングに基づいて、ユーザ機器１３０が第２のネットワークノード１１２のアイドルモードカバレッジ下にあることを判定することができる。
【００９５】
アクション８２０
ユーザ機器１３０と第１のネットワークノード１１１との間の接続モードの接続が解放されると、第１のネットワークノード１１１は、ユーザ機器１３０のコンテキストを第２のネットワークノード１１２に送信する。
【００９６】
ユーザ機器１３０のコンテキストは、過去の接続モード情報を含むことができる。
【００９７】
過去の接続モード情報は、サービングアンテナセクタ、サービングビーム、アンテナプリコーダ、タイミングアドバンスのうちの任意の１つまたは複数に関する情報を含むことができる。
【００９８】
上述したように、第２のネットワークノード１１２よりも第１のネットワークノード１１１からＵＥ１３０にサービスを提供することがより好ましい場合があり、この方法は、以下のアクション８３０および８４０をさらに含むことができる。
【００９９】
アクション８３０
第１のネットワークノード１１１は、第２のネットワークノード１１２からハンドオーバ要求を受信することができる。
【０１００】
アクション８４０
第１のネットワークノード１１１は、ユーザ機器１３０との接続を確立することができる。
【０１０１】
図９はユーザ機器１３０が無線通信ネットワーク１００内の接続を処理するのを支援するために、無線通信ネットワーク１００内の第２のネットワークノード１１２で実行される方法の実施形態を示すフローチャートであり、第２のネットワークノード１１２および第１のネットワークノード１１１は、無線通信ネットワーク１００内で動作する。
【０１０２】
この方法は以下のアクションを含み、これらのアクションは、任意の適切な順序で実行することができる。
【０１０３】
アクション９１０
第２のネットワークノード１１２は、第１のネットワークノード１１１からユーザ機器１３０のコンテキストを取得する。
【０１０４】
アクション９２０
第２のネットワークノード１１２は、取得されたコンテキストに基づいて、ユーザ機器１３０との接続を確立する。
【０１０５】
いくつかの実施形態によれば、ユーザ機器１３０のコンテキストは、過去の接続モード情報を含むことができる。
【０１０６】
アクション９３０
第２のネットワークノード１１２は例えば、過去の接続モード情報が、第２のネットワークノード１１２よりも第１のネットワークノード１１１からＵＥ１３０にサービス提供することがより好ましいことを示す場合、ハンドオーバ要求を第１のネットワークノード１１１に送信することができる。
【０１０７】
いくつかの実施形態によれば、ハンドオーバ要求は、ユーザ機器１３０の過去の接続モード情報を含むことができる。
【０１０８】
図１０はユーザ機器１３０が無線通信ネットワーク１００における接続を処理するのを支援するための第１／第２のネットワークノード１１１／１１２を示す概略ブロック図であり、第１のネットワークノード１１１および第２のネットワークノード１１２は無線通信ネットワーク１００において動作し、第１のネットワークノード１１１は、ユーザ機器１３０のためのサービングネットワークノードである。
【０１０９】
第１／第２のネットワークノード１１１、１１２において方法のアクションを実行するために、第１／第２のネットワークノード１１１／１１２は、受信モジュール１０１０、送信モジュール１０２０、決定モジュール１０３０、処理モジュール１０４０、メモリ１０５０などを備える。
【０１１０】
第１のネットワークノード１１１は例えば、判定モジュール１０３０によって、ユーザ機器１３０に関連する測定値に基づいて、ユーザ機器１３０が第２のネットワークノード１１２のアイドルモードカバレッジ下にあることを判定するように構成されている。
【０１１１】
第１のネットワークノード１１１は例えば、送信モジュール１０２０によって、ユーザ機器１３０と第１のネットワークノード１１１との間の接続モード接続が解放されたときに、ユーザ機器１３０のコンテキストを第２のネットワークノード１１２に送信するように構成されている。
【０１１２】
いくつかの実施形態によれば、第１のネットワークノード１１１は例えば、受信部１０１０などによってユーザ機器１３０から測定値を取得するように構成されてもよい。
【０１１３】
いくつかの実施形態によれば、第１のネットワークノード１１１は、ユーザ機器１３０から受信されたアップリンク信号を測定することによって測定値を取得するように構成されてもよい。
【０１１４】
いくつかの実施形態によれば、測定値は推定されたアイドルモードカバレッジを含むことができ、第１のネットワークノード１１１は、ユーザ機器１３０に、そのアイドルモードカバレッジを推定し、推定されたアイドルモードカバレッジをユーザ機器１３０から受信するように要求するようにさらに構成され得る。
【０１１５】
いくつかの実施形態によれば、第１のネットワークノード１１１は、ネットワークノードの予測されたアイドルモードカバレッジと、ユーザ機器１３０に関連する測定値とを含むマッピングに基づいて、ユーザ機器１３０が第２のネットワークノード１１２のアイドルモードカバレッジ下にあることをさらに判定するよう構成されてよい。
【０１１６】
いくつかの実施形態によれば、第１のネットワークノード１１１は第２のネットワークノード１１２からハンドオーバ要求をさらに受信し、ユーザ機器１３０との接続を確立するよう構成されてよい。
【０１１７】
第２のネットワークノード１１２においてこの方法を実行するために、第２のネットワークノード１１２は、図１０に示す第１のネットワークノード１１１と同様のモジュールを含む。
【０１１８】
第２のネットワークノード１１２は例えば、受信モジュール１０１０によって、第１のネットワークノード１１１からユーザ機器１３０のコンテキストを取得し、取得したコンテキストに基づいてユーザ機器１３０との接続を確立するように構成される。
【０１１９】
ユーザ機器１３０のコンテキストは、過去の接続モード情報を含むことができる。
【０１２０】
いくつかの実施形態によれば、第２のネットワークノード１１２は例えば、送信モジュール１０２０などによって第１のネットワークノード１１１へとハンドオーバ要求を送信するように構成されてもよい。
【０１２１】
いくつかの実施形態によれば、ハンドオーバ要求は、ユーザ機器１３０の過去の接続モード情報を含む。
【０１２２】
本明細書の実施形態は、ＵＥが休止状態をサポートする状況に関し、そこから、ネットワークノード内のＵＥコンテキストによってサポートされる接続を確立することができる。本明細書の実施形態は、将来の接続確立を容易にするために、前にサービスが提供された無線基地局またはサービングネットワークノードからのＵＥコンテキストを有する無線基地局またはネットワークノードの準備に関する。さらに、準備メッセージは、前にサービングしていたネットワークノードへのハンドオーバの決定を支援するために、過去の接続モード情報も含むことができる。したがって、本明細書の実施形態は、以下を含む多くの利点を有する。
【０１２３】
ユーザ機器１３０のコンテキストを準備し、ターゲットネットワークノードに送信することによって、ターゲットネットワークノードへの接続を確立することを、正確に、高速に、かつ高信頼度で実行することができる。
【０１２４】
本明細書の実施形態は、例えばＭＲＳ、ＡＭＳＳまたはＣＳＩ−ＲＳ、ＮＲ−ＳＳなどの特定の基準信号を送信するネットワークノードの正確で、高速で、高信頼度で、かつ場合によってはオンデマンドの識別を可能にする。
【０１２５】
これは、５Ｇ ＮＲで導入されるマッシブＭＩＭＯのような高利得動的ビームフォーミングと協働する。
【０１２６】
本発明は、ユーザ機器１３０などのＵＥが遠く離れた基地局から基準信号を聞くことができるが、そのノードから送信された関連するシステム情報を受信することができない５Ｇ ＮＲネットワークにおいて、自動近隣関係（ＡＮＲ）のための最新技術の解決策が機能することを妨げる従来技術に関連する問題を解決する。
【０１２７】
当業者は、受信モジュール１０１０、送信モジュール１０２０、判定モジュール１０３０、第１／第２のネットワークノード１１１／１１２における上述の処理モジュール１０４０は、１つの回路／ユニット、アナログおよびデジタル回路の組み合わせ、ソフトウェアおよび／またはファームウェアとともに構成された１つ以上のプロセッサ、および／または各回路／ユニットの機能を実行する任意の他のデジタルハードウェアと呼ぶことができることを理解するであろう。これらのプロセッサのうちの１つまたは複数、アナログおよびデジタル回路の組合せ、ならびに他のデジタルハードウェアは、単一の特定用途向け集積回路（ＡＳＩＣ）に含まれてもよく、またはいくつかのプロセッサおよび様々なアナログ／デジタルハードウェアは、個別にパッケージ化されるか、またはシステムオンチップ（ＳｏＣ）に集めるかにかかわらず、いくつかの別々の構成要素の間で分散されてよい。
【０１２８】
ユーザ機器１３０が無線通信ネットワーク１００内の接続を処理するのを支援するための本明細書の実施形態は、本明細書の実施形態の機能および動作を実行するためのコンピュータプログラムコード１０７０と共に、第１／第２のネットワークノード１１１／１１２内のプロセッサ１０６０などの１つまたは複数のプロセッサを介して実装され得る。上述のプログラムコード１０７０は例えば、第１／第２のネットワークノード１１１／１１２にロードされるときに、本明細書の実施形態を実行するためのコンピュータプログラムコードを担持するデータキャリア１０８０の形態で、コンピュータプログラム製品として提供することもできる。そのようなキャリアの１つは、CD ROMディスクの形成であってもよい。しかし、メモリスティックのような他のデータ担体を用いることも可能である。コンピュータプログラムコードは、クラウド上の純粋なプログラムコードとしてさらに提供され、第１／第２のネットワークノード１１１／１１２にダウンロードされてもよい。
【０１２９】
第１／第２のネットワークノード１１１／１１２内のメモリ１０５０は１つまたは複数のメモリユニットを有することができ、システム展開情報、測定値、マッピングテーブル、アイドルモードカバレッジ特性、過去の接続モード情報およびデータなど、ならびに第１／第２のネットワークノード１１１／１１２内で実行されるときに本明細書の方法を実行するための構成およびアプリケーションを格納するために使用されるように構成することができる。
【０１３０】
本明細書で使用される「処理モジュール」という用語は、処理回路、処理ユニット、プロセッサ、特定用途向け集積回路（ＡＳＩＣ）、フィールドプログラマブルゲートアレイ（ＦＰＧＡ）などを指すことができる。一例として、プロセッサ、ＡＳＩＣ、ＦＰＧＡなどは、１つまたは複数のプロセッサカーネルを含むことができる。いくつかの例では、処理モジュールがソフトウェアモジュールまたはハードウェアモジュールによって具現化されてもよい。任意のそのようなモジュールは本明細書で開示されるように、判定手段、推定手段、捕捉手段、関連付け手段、比較手段、特定手段、選択手段、受信手段、送信手段などであってもよい。一例として、「手段」という表現は、決定モジュール、選択モジュールなどのモジュールとすることができる。
【０１３１】
本明細書で使用される「構成される」という表現は、処理回路が、ソフトウェア構成および／またはハードウェア構成によって、本明細書で説明される動作のうちの１つまたは複数を実行するように構成されるか、または適合されることを意味することができる。
【０１３２】
本明細書で使用される「メモリ」という用語は、ハードディスク、磁気記憶媒体、ポータブルコンピュータディスケットまたはディスク、フラッシュメモリ、ランダムアクセスメモリ（ＲＡＭ）などを指すことができる。さらに、「メモリ」という用語は、プロセッサなどの内部レジスタメモリを指すことができる。
【０１３３】
本明細書で使用される「データキャリア」という用語は、ユニバーサルシリアルバス（ＵＳＢ）メモリ、ＤＶＤディスク、ブルーレイディスク、データストリームとして受信されるソフトウェアモジュール、フラッシュメモリ、ハードドライブ、メモリスティックなどのメモリカード、マルチメディアカード（ＭＭＣ）などであってもよい。
【０１３４】
本明細書で使用される「コンピュータプログラムコード」という用語は、コンピュータプログラムのテキスト、コンパイルされたフォーマットでコンピュータプログラムを表すバイナリファイルの一部または全体、またはそれらの間の任意のものであってもよい。
【０１３５】
本明細書で使用される、「いくつかの実施形態において」という表現は、説明される実施形態の特徴が本明細書で開示される任意の他の実施形態と組み合わせられ得ることを示すために使用されている。
【図１】
0006916274.tif 000002
【図２】
0006916274.tif 000003
【図３】
0006916274.tif 000004
【図４】
0006916274.tif 000005
【図５ａ】
0006916274.tif 000006
【図５ｂ】
0006916274.tif 000007
【図６】
0006916274.tif 000008
【図７】
0006916274.tif 000009
【図８】
0006916274.tif 000010
【図９】
0006916274.tif 000011
【図１０】
0006916274.tif 000012